(57)【要約】【課題】送信機及び受信機を共通の周波数により運用する場合において、周波数に差異を生じた場合、自動的に周波数を補正して正常な運用を可能にする。【解決手段】送信機２１及び受信機２２は、各チャンネルの周波数情報を周波数情報定義設定部２１１、２２１に定義する。フィルタ制御部２３は、送信機２１及び受信機２２の使用チャンネル及び周波数情報を常に監視し、一方の無線機に周波数状態に変更があった場合、他方の無線機のチャンネル切替制御を行なった後、周波数情報を確認し、不一致の場合、送信機２１と受信機２２のうち、どちらを複写元とするかを決定し、複写元の無線機の周波数情報を複写先の無線機に複写する。複写先の無線機は、周波数切替処理を実施する。フィルタ制御部２３は、送信機２１及び受信機２２の周波数情報の一致を確認し、フィルタ２４に周波数情報を出力して周波数の切替えを指示する。【選択図】図１
2007201599.tif 000002
【特許請求の範囲】
【請求項１】
チャンネル毎に予め設定された周波数情報を保持する２つの無線機がフィルタ制御部に連接されると共に前記フィルタ制御部にアンテナに対する周波数の切替えを行なうフィルタが接続され、前記フィルタ制御部は前記２つの無線機が使用するチャンネル及び周波数情報を常に監視及び取得し、前記一方の無線機の周波数状態に変更があった場合に他方の無線機に対してチャンネルの切替制御を行ない、更に周波数情報の一致を確認した後、前記フィルタに対して周波数情報を出力して周波数の切替えを指示する無線送受信システムであって、
前記各無線機のチャンネル毎に設定された周波数情報の定義を書替え可能なエリアに設定し、前記フィルタ制御部がチャンネル切替実施後、前記無線機に設定された周波数情報の不一致を検出すると、一方の無線機の周波数情報を他方の無線機に複写処理して周波数情報を一致させることを特徴とする無線送受信システム。
【発明の詳細な説明】
【技術分野】
【０００１】
本発明は、複数の無線機を共通の周波数により運用する場合における無線送受信システムに関する。
【背景技術】
【０００２】
送信機及び受信機を共通の周波数により運用する場合における従来の無線送受信システムは、図３に示すように構成されている。
【０００３】
図３において、１１は送信機、１２は受信機で、それぞれフィルタ制御部１３に連接され、このフィルタ制御部１３にはフィルタ１４を介してアンテナ（図示せず）が接続される。上記フィルタ制御部１３は、アンテナに対するフィルタの切替えをフィルタ１４に指示する。
【０００４】
上記送信機１１及び受信機１２は、複数の通信チャンネルを備え、チャンネル毎に周波数情報を保持している。また、送信機１１及び受信機１２は、それぞれパネル面からの操作が可能であるが、遠隔操作によりフィルタ制御部１３からの制御が可能となっている。
【０００５】
上記フィルタ制御部１３は、送信機１１及び受信機１２が運用で使用しているチャンネル及び周波数情報を常に監視し、取得している。そして、フィルタ制御部１３は、上記監視情報に基づき送信機１１及び受信機１２に対してチャンネル切替制御を実施すると共に、運用する周波数を基にしてフィルタ１４の切替制御を実施する。すなわち、フィルタ制御部１３は、送信機１１及び受信機１２の何れか一方の無線機の周波数状態に変更があった場合、他方の無線機に対してチャンネルの切替制御を行なう。フィルタ制御部１３は、チャンネルの切替えが正常に終了した後、送信機１１及び受信機１２の周波数情報が一致したことを確認し、フィルタ１４に対して周波数情報を出力することで、フィルタの切替えを指示する。フィルタ１４は、フィルタ制御部１３から指示された周波数のフィルタに切替え、フィルタの切替完了後、同調完了データをフィルタ制御部１３に出力する。
【０００６】
なお、上記無線送受信システムにおいては、送信機１１及び受信機１２の使用周波数を連動して切替えないと通話が不可能となり、また、送信機１１及び受信機１２により共通で１つのフィルタ１４を使用するため同時には１種類の周波数しか使用できないので、送信機１１及び受信機１２を共通の周波数により運用している。
【０００７】
次に、上記フィルタ制御部１３の制御動作を図４に示すフローチャートを参照して説明する。フィルタ制御部１３は、最初に送信機１１の使用チャンネル及び周波数情報を取得し（ステップＡ１）、次いで受信機１２の使用チャンネル及び周波数情報を取得し（ステップＡ２）、チャンネル情報が一致しているか、不一致であるかを判定する（ステップＡ３）。チャンネル情報が一致していれば、再びステップＡ１に戻って送信機１１の使用チャンネル及び周波数情報を取得する。
【０００８】
フィルタ制御部１３は、上記のようにステップＡ１〜Ａ３の処理により、常に送信機１１及び受信機１２のチャンネル情報が一致しているかどうかを監視している。  
そして、上記ステップＡ３で、チャンネル情報が不一致であると判定されると、受信機１２に対して送信機１１のチャンネルと一致するようにチャンネル切替えを指示する（ステップＡ４）。受信機１２は、フィルタ制御部１３からのチャンネル切替指示に基づいてチャンネル切替えを実施する（ステップＡ５）。
【０００９】
フィルタ制御部１３は、受信機１２のチャンネル切替えが正常に終了すると、受信機１２から切替えられたチャンネルの周波数情報を取得し（ステップＡ６）、送信機１１と受信機１２の周波数情報が一致するかどうかを判定する（ステップＡ７）。送信機１１と受信機１２の周波数情報が一致した場合、フィルタ制御部１３はフィルタ１４へ周波数情報を出力する（ステップＡ８）。フィルタ１４は、フィルタ制御部１３からの周波数情報に基づいてフィルタの切替えを実施し（ステップＡ９）、フィルタ切替完了後、同調完了データをフィルタ制御部１３へ出力する。フィルタ制御部１３は、フィルタ１４の切替完了を確認すると、再びステップＡ１に戻って上記した処理を繰り返して実施する。
【００１０】
また、フィルタ制御部１３は、上記ステップＡ７で送信機１１と受信機１２の周波数情報が不一致であると判定された場合には、エラー処理（ステップＡ１０）を行ない、その後、ステップＡ１に戻る。
【発明の開示】
【発明が解決しようとする課題】
【００１１】
上記のように送信機１１と受信機１２の設定チャンネルが異なっている場合には、フィルタ制御部１３の制御により送信機１１と受信機１２の使用チャンネルが一致するように制御される。
【００１２】
しかし、送信機１１及び受信機１２の各チャンネルに設定される周波数は、システム納入先によって個別に決められており、且つ使用できるチャンネル数も決められている。また、一度設定された周波数情報は、ユーザ側での変更が不可能になっている。従って、送信機１１及び受信機１２のチャンネル毎に設定されている周波数情報は、各機器毎に異なっている場合がある。例えば受信機１２が故障してしまい、他の受信機を代替機として使用するような場合には、送信機１１及び受信機１２の各チャンネルの周波数情報が異なっている場合がある。このように送信機１１及び受信機１２の各チャンネルの周波数情報が異なっている場合には、フィルタ制御部１３はフィルタ１４に対して切替えを正確に指示することができず、エラーとして処理することになる。
【００１３】
本発明は上記の課題を解決するためになされたもので、送信機及び受信機を共通の周波数により運用する場合において、周波数に差異を生じた場合、自動的に周波数を補正して運用を正常に行なうことができる無線送受信システムを提供することを目的とする。
【課題を解決するための手段】
【００１４】
本発明は、チャンネル毎に予め設定された周波数情報を保持する２つの無線機がフィルタ制御部に連接されると共に前記フィルタ制御部にアンテナに対する周波数の切替えを行なうフィルタが接続され、前記フィルタ制御部は前記２つの無線機が使用するチャンネル及び周波数情報を常に監視及び取得し、前記一方の無線機の周波数状態に変更があった場合に他方の無線機に対してチャンネルの切替制御を行ない、更に周波数情報の一致を確認した後、前記フィルタに対して周波数情報を出力して周波数の切替えを指示する無線送受信システムであって、
前記各無線機のチャンネル毎に設定された周波数情報の定義を書替え可能なエリアに設定し、前記フィルタ制御部がチャンネル切替実施後、前記無線機に設定された周波数情報の不一致を検出すると、一方の無線機の周波数情報を他方の無線機に複写処理して周波数情報を一致させることを特徴とする。
【発明の効果】
【００１５】
本発明によれば、複数の無線機を共通の周波数により運用する場合において、例えば無線機の交換等によって各無線機の設定周波数に差異を生じた場合であっても、自動的に周波数を補正して運用を正常に行なうことができる。
【発明を実施するための最良の形態】
【００１６】
以下、図面を参照して本発明の一実施形態を説明する。  
図１は、本発明の一実施形態に係る無線送受信システムの構成を示すブロック図である。図１において、２１は送信機、２２は受信機で、それぞれフィルタ制御部２３に連接され、このフィルタ制御部２３にはフィルタ２４を介してアンテナ（図示せず）が接続される。
【００１７】
上記送信機２１及び受信機２２は、複数の通信チャンネルを備え、チャンネル毎の周波数情報をそれぞれ周波数情報定義設定部２１１、２２１に定義している。この周波数情報定義設定部２１１、２２１は、書替え可能なエリアに設けられる。また、送信機２１及び受信機２２は、それぞれパネル面からの操作が可能であるが、遠隔操作によりフィルタ制御部２３からの制御が可能となっている。すなわち、送信機２１及び受信機２２の周波数情報定義設定部２１１、２２１に設定された周波数情報をフィルタ制御部２３からの指示により書替えできるようになっている。
【００１８】
上記フィルタ制御部２３は、送信機２１及び受信機２２が運用で使用しているチャンネル及び周波数情報を常に監視し、取得している。そして、フィルタ制御部２３は、上記監視情報に基づき送信機２１及び受信機２２に対してチャンネル切替制御を実施すると共に、運用する周波数を基にしてフィルタ２４の切替制御を実施する。すなわち、フィルタ制御部２３は、送信機２１及び受信機２２の何れか一方の無線機の周波数状態に変更があった場合、他方の無線機に対してチャンネルの切替制御を行なう。この場合、フィルタ制御部２３は、例えば送信機２１及び受信機２２に対してはシリアルデータで制御を実施し、フィルタ２４に対してはパラレル出力で制御を実施する。すなわち、フィルタ２４に対しては、パラレルポートから制御周波数情報を入力してフィルタの切替え、すなわち選択周波数の切替えを実施する。
【００１９】
そして、フィルタ制御部２３は、チャンネルの切替えが正常に終了した後、送信機２１及び受信機２２の周波数情報定義設定部２１１、２２１に設定されている周波数情報が一致しているかどうかを確認し、不一致を検出した場合、以下の処理を実施する。
【００２０】
ａ．送信機２１と受信機２２のうち、どちらの周波数情報を有効とするのかを決定する。すなわち、複写元の無線機と複写先の無線機を決定する。この場合、送信機２１と受信機２２の周波数情報を基にするかは、例えばフィルタ制御部２３のパネル面でオペレータが予め設定しておく。
【００２１】
ｂ．複写元の無線機の周波数情報を全チャンネル分、複写先の無線機に対して通知する。
【００２２】
ｃ．複写先の無線機は、周波数情報を内部更新する。この場合、周波数情報のデータフォーマットは変更しない。
【００２３】
ｄ．複写先の無線機は、周波数切替処理を内部で実施し、処理終了をフィルタ制御部２３に通知する。
【００２４】
フィルタ制御部２３は、送信機２１及び受信機２２の周波数情報が一致したことを確認すると、フィルタ２４に対して周波数情報を出力し、フィルタの切替えを指示する。フィルタ２４は、フィルタ制御部２３から指示された周波数のフィルタに切替え、切替完了後、同調完了データをフィルタ制御部２３へ出力する。
【００２５】
次に、上記フィルタ制御部２３の制御動作を図２に示すフローチャートを参照して説明する。フィルタ制御部２３は、最初に送信機２１の使用チャンネル及び周波数情報を取得し（ステップＢ１）、次いで受信機２２の使用チャンネル及び周波数情報を取得し（ステップＢ２）、チャンネル情報が一致しているか、不一致であるかを判定する（ステップＢ３）。チャンネル情報が一致していれば、再びステップＢ１に戻って送信機２１の使用チャンネル及び周波数情報を取得する。
【００２６】
フィルタ制御部２３は、上記のようにステップＢ１〜Ｂ３の処理により、常に送信機２１及び受信機２２のチャンネル情報が一致しているかどうかを監視している。  
そして、上記ステップＢ３で、チャンネル情報が不一致であると判定されると、送信機２１及び受信機２２の一方、例えば受信機２２に対して送信機２１のチャンネルと一致するようにチャンネル切替えを指示する（ステップＢ４）。受信機２２は、フィルタ制御部２３からのチャンネル切替指示に基づいてチャンネル切替えを実施する（ステップＢ５）。
【００２７】
フィルタ制御部２３は、受信機２２のチャンネル切替えが正常に終了すると、受信機２２から切替えられたチャンネルの周波数情報を取得し（ステップＢ６）、送信機２１と受信機２２の周波数情報が一致するかどうかを判定する（ステップＢ７）。送信機２１と受信機２２の周波数情報が一致した場合、フィルタ制御部２３はフィルタ２４へ周波数情報を出力する（ステップＢ８）。フィルタ２４は、フィルタ制御部２３からの周波数情報に基づいてフィルタの切替えを実施し（ステップＢ９）、切替完了後、同調完了データをフィルタ制御部２３へ出力する。フィルタ制御部２３は、フィルタ２４の切替完了を確認すると、再びステップＢ１に戻って上記した処理を繰り返して実施する。
【００２８】
また、フィルタ制御部２３は、上記ステップＢ７で送信機２１と受信機２２の周波数情報が不一致であると判定された場合には、送信機２１及び受信機２２のうち、予め設定された情報に基づいてどちらの周波数情報を有効にするかを決定、すなわち、複写元無線機と複写先無線機を決定する（ステップＢ１０）。
【００２９】
フィルタ制御部２３は、送信機２１を複写元に決定した場合、送信機２１の周波数情報を全チャンネル分、複写先の受信機２２に通知する（ステップＢ１１）。受信機２２は、フィルタ制御部２３から送られてきた周波数情報を周波数情報定義設定部２２１に複写、すなわち周波数情報定義設定部２２１に定義されている周波数情報を更新し、それに基づいて周波数切替処理を実施する（ステップＢ１２）。
【００３０】
また、フィルタ制御部２３は、上記ステップＢ１０で受信機２２を複写元に決定した場合、受信機２２の周波数情報を全チャンネル分、複写先の送信機２１に通知する（ステップＢ１３）。送信機２１は、フィルタ制御部２３から送られてきた周波数情報を周波数情報定義設定部２１１に複写し、それに基づいて周波数切替処理を実施する（ステップＢ１３）。
【００３１】
そして、上記受信機２２、送信機２１は、ステップＢ１２あるいはステップＢ１４において周波数切替処理を終了すると、周波数切替処理完了をフィルタ制御部２３に通知する（ステップＢ１５）。
【００３２】
フィルタ制御部２３は、上記ステップＢ１５おいて、受信機２２あるいは送信機２１から周波数切替処理完了が通知されると、ステップＢ８に戻り、上記したようにフィルタ２４の切替え制御を実施する。
【００３３】
上記のようにステップＢ７おいて、送信機２１と受信機２２の対応チャンネルの周波数情報が異なっていると判定された場合、ステップＢ１０〜ステップＢ１５の処理を実施することによって送信機２１と受信機２２の周波数情報を一致させることができる。従って、その後は、ステップＢ８に戻り、フィルタ制御部２３からフィルタ２４へ周波数情報を出力してフィルタの切替え、すなわち周波数の切替えを正確に指示することができる。
【００３４】
上記実施形態によれば、例えば送信機２１あるいは受信機２２の交換等によって各チャンネルの周波数情報に差異を生じた場合であっても、その周波数情報の差異を自動的に検出して補正し、送信機２１と受信機２２の各チャンネルの周波数情報を一致させることができる。
【００３５】
なお、上記実施形態では、フィルタ制御部２３に対して送信機２１と受信機２２を各１台接続した場合について示したが、フィルタ制御部２３に更に他の無線機を接続した場合であっても、上記実施形態と同様にして処理することが可能である。
【００３６】
また、本発明は、上記実施形態そのままに限定されるものではなく、実施段階ではその要旨を逸脱しない範囲で構成要素を変形して具体化できるものである。
【図面の簡単な説明】
【００３７】
【図１】本発明の一実施形態に係る無線送受信システムの構成を示すブロック図である。
【図２】同実施形態における処理動作を示すフローチャートである。
【図３】従来の無線送受信システムの構成を示すブロック図である。
【図４】従来の無線送受信システムの処理動作を示すフローチャートである。
【符号の説明】
【００３８】
２１…送信機、２２…受信機、２３…フィルタ制御部、２４…フィルタ、２１１…送信機の周波数情報定義設定部、２２１…受信機の周波数情報定義設定部。
【図１】
2007201599.tif 000003
【図２】
2007201599.tif 000004
【図３】
2007201599.tif 000005
【図４】
2007201599.tif 000006